(57)【要約】【課題】物品の搬送過程における移送を円滑にした搬送物の合流装置を提供する。【解決手段】中央の搬入コンベヤーＢから物品を受容して、これを単一の搬出コンベヤーＤに移送する長尺なベルトコンベヤーから成る主搬送体１と、その側方に並設されるサイド搬送体５と、搬入コンベヤーＡ乃至Ｃから物品を受容して、これをサイド搬送体５に移送する短尺のベルトコンベヤーから成る副搬送体６とから構成され、サイド搬送体５が、シュー２を長手方向に摺動可能に設けたスラット３を搬送方向に多数並列して形成した搬送面４を無端状に走行可能に構成され、さらに、副搬送体６から受容した物品が、その搬送過程で、その搬送面４から、主搬送体１上に移送するように、シュー２のスラット３の長手方向における位置を規制する規制機構７を備えて成る。【選択図】　図１
2004026490.tif 000002
【特許請求の範囲】
【請求項１】
搬入コンベヤーから物品を受容してこれを搬出コンベヤーに移送する長尺のベルトコンベヤーから成る主搬送体と、その側方に並設されるサイド搬送体と、他の搬入コンベヤーから物品を受容してこれを前記サイド搬送体に移送する短尺のベルトコンベヤーから成る副搬送体とから構成され、前記サイド搬送体が、物品を案内するシューを長手方向に摺動可能に設けたスラットを搬送方向に多数並列することにより形成された搬送面を、搬送方向の前後位置で旋回して無端状に走行可能に構成し、かつ前記副搬送体から移送された物品を、搬送過程で、搬送面から主搬送体に移送するように、シューのスラットの長さ方向における位置を規制する規制機構を備えたことを特徴とする搬送物の合流装置
【請求項２】
主搬送体の前後端を、サイド搬送体の前後端より、それぞれ突出するように構成した請求項１記載の搬送物の合流装置
【請求項３】
主搬送体の搬送面を、サイド搬送体の搬送面より僅か低くして成る請求項１または２記載の搬送物の合流装置
【請求項４】
主搬送体の両側に位置して、副搬送体とサイド搬送体を対称に配置して成る請求項１、２または３記載の搬送物の合流装置
【発明の詳細な説明】
【０００１】
【発明の属する技術分野】
本願発明は、複数の並列する搬入コンベヤーから搬送される物品を合流して、単一の搬出コンベヤーに物品を順次搬出するための搬送物の合流装置に関する。
【０００２】
【従来の技術】
従来、複数の並列する搬入コンベヤーから搬送される物品を合流して、単一の搬出コンベヤーに物品を順次搬出するための搬送物の合流装置として、シュータイプのもの、ベルトタイプのものおよびスライダータイプのものとが存在する。
【０００３】
すなわち、図６乃至図８は、シュータイプの構成を示しており、その合流装置５０は、左右側面が傾斜状に形成された左右一対のシュー５１ａ、５１ｂを長手方向に摺動自在に取付けられた長尺なスラット５２を搬送方向に多数並列することにより、搬送面５３を形成している。スラット５２の両端は、チェーンベルト５４に接続されると共に、搬送面５３の前後位置に対峙したチェーンホイール５５に、無端状に巻回され、さらに搬送面５３の下面に、シュー５１ａ、５１ｂの下端に設けたガイドローラ５６を誘導して、シュー５０ａ、５０ｂのスラット５２の長さ方向における位置を規制する規制機構５７を設けた構成のものである。
【０００４】
図は、３系統の搬入コンベヤーＡ、Ｂ、Ｃから上記した合流装置５０を介して単一の搬出コンベヤーＤに物品を搬出する場合の構成を示しており、従って合流装置５０の前方には、その幅一杯に、搬入コンベヤーＡ、Ｂ、Ｃが並列されており、また後段には、合流装置５０の幅方向の中央に位置した単一の搬出コンベヤーＤが配置してある。
【０００５】
一方、合流装置５０は、その前端位置において、一対のシュー５１ａ、５１ｂは、搬入コンベヤーＡ、Ｂ、Ｃから搬送される全ての物品を受容できるように、スラット５２の長さ一杯の間隔を持って対峙し、次いで搬送方向に従ってシュー５１ａ、５１ｂの間隔が斬次狭められ、その後端位置においては、シュー５１ａ、５１ｂが単一の物品を案内するに必要な最も狭い間隔を持って対峙される。
【０００６】
しかして、搬送面５３を、図６において右方向に走行することにより、３系統の搬入コンベヤーＡ、Ｂ、Ｃから成る時間差を持って搬送される物品は、搬送面５３の前端部に移送されると共に、搬送面５３上においては、物品はシュー５１ａ、５１ｂにより案内され、次いで搬送面５３の後端部から搬出コンベヤーＤに移送される。
【０００７】
図９、１０は、ベルトタイプの構成を示しており、その合流装置６０は、幅広のベルト６１が無端状に走行する主ベルトコンベヤー６２における搬送面上の左右位置に、搬送方向に沿って無端状に走行する、一対のサイドベルトコンベヤー６３ａと６３ｂを、その前端部が、３系統の搬入ベルトコンベヤーＡ、Ｂ、Ｃから搬送される全ての物品を受容できるように最も広い間隔を持って対峙し、その後端部が、単一の物品を案内するに必要な最も狭い間隔を持って対峙するように傾斜状に配置した構成ものである。
【０００８】
しかして、３系統の搬入コンベヤーＡ、Ｂ、Ｃから成る時間差をもって搬送される物品Ｐは、主ベルトコンベヤー６２の前端部表面に移送されると共に、主ベルトコンベヤー６２の面上においては、サイドベルトコンベヤー６３ａ、６３ｂの走行により案内され、次いで主ベルトコンベヤー６２の後端部から搬出コンベヤーＤに移送される。
【０００９】
図１１、１２は、スライダータイプの構成を示しており、その合流装置７０は、２本１組の長尺なバー７１に、上面に水平面を有した横長の載置台７２を長手方向に摺動可能に取付けて成る摺動部材７３を搬送方向に多数並列に配置することにより形成された搬送面７４を、搬送方向の前後端位置に対設した旋回車７５に巻回して無端状に走行可能とし、かつ、図示しないが、前記載置台７２のバー７１の長さ方向における位置を規制するための規制機構を備えた構成のものである。
【００１０】
しかして、３系統の搬入コンベヤーＡ、Ｂ、Ｃから、成る時間差をもって搬送される物品のうち、最初に搬入する物品Ｐが、搬入コンベヤーＡからのものであるときは、搬送面７４の前端部に位置する摺動部材７３の載置台７２が、前記搬入コンベヤーＡと対峙するように、また、搬入物品Ｐが、搬入コンベヤーＢからのものであるときは、載置台７２が、前記搬入コンベヤーＢと対峙するように、さらに搬入物品Ｐが、搬入コンベヤーＣからのものであるときは、図１１で示すように、載置台７２が、前記搬入コンベヤーＣと対峙するように規制機構により制御される。
【００１１】
このようにして、搬入コンベヤーＡ、Ｂ乃至Ｃから、物品Ｐが、搬送面７４の前端部位置の載置台に移送されたのち、該載置台７２は、その搬送過程において、さらに規制機構により制御されながら、図１１で示すように、徐々にバー７１の中央方向に移行し、次いで、搬送面７４の後端部位置において、載置台７２が搬出コンベヤーＤと対峙した状態で、物品Ｐは搬出コンベヤーＤに移送される。
【００１２】
【発明が解決しようとする課題】
ところで、上記した従来公知のものは、以下に述べるような不都合を有する。
すなわち、シュータイプの合流装置５０によれば、搬送面５３がその後端位置において、大きな半径をもって旋回するので、搬出コンベヤーＤの先端部を搬送面５３に接近させることに自から限界があり、そのため図８で示すように、搬送面５３と搬出コンベヤーＤとの間における物品の受け渡しが、円滑に行われず、特に物品が小物や薄物である場合は、その受け渡しが困難となるという欠陥を有する。
また、この構成によれば、長尺なスラットを使用しているので、これが搬送面の前後位置で高速運転により無端状に旋回するときに、大きな騒音を発するという欠陥があった。
【００１３】
また、ベルトタイプの合流装置６０によれば、主ベルトコンベヤー６２と、その表面に配置されるサイドベルトコンベヤー６３ａ、６３ｂとの間には、図１０で示すように、各ベルトコンベヤー相互の走行を妨げないために必要な間隔、すなわち構成上回避することのできない間隔Ｓが存在するので、特に物品が薄物であるときは、搬送の過程で、物品が前記間隔Ｓに介入したり、引掛りが生じたりして円滑な搬送を困難にするという欠陥を有する。
【００１４】
さらにまた、スライダータイプの合流装置７０によれば、搬送面７４は、その後端位置において、大きな半径を持もって旋回するので、搬出コンベヤーＤの先端部を搬送面７４に接近させることに自から限界があり、そのため図１２で示すように、特に物品が小物や薄物の場合、搬送面７４と搬出コンベヤーＤとの間における物品の受け渡しが困難となるという欠陥を有する。
また、この構成によれば、長尺なバーを使用しているので、これが搬送面がその前後位置で高速運転により無端状に旋回するときに、大きな騒音を発生するという欠陥を有する。
【００１５】
【課題を解決するための手段】
本願は、上記した従来のものの不都合を解消するために、搬入コンベヤーから物品を受容してこれを搬出コンベヤーに移送する長尺のベルトコンベヤーから成る主搬送体と、その側方に並設されるサイド搬送体と、他の搬入コンベヤーから物品を受容してこれを前記サイド搬送体に移送する短尺のベルトコンベヤーから成る副搬送体とから構成され、前記サイド搬送体が、物品を案内するシューを長手方向に摺動可能に設けたスラットを搬送方向に多数並列することにより形成された搬送面を、搬送方向の前後位置で旋回して無端状に走行可能に構成し、かつ前記副搬送体から移送された物品を、搬送過程で、搬送面から主搬送体の表面に移送するように、シューのスラットの長さ方向における位置を規制する規制機構を備えたことを特徴とするものである。
【００１６】
上記において、好ましくは、主搬送体の前後端を、サイド搬送体の前後端より、それぞれ突出して成り、また、主搬送体の搬送面を、サイド搬送体の搬送面より僅か低くして成るものである。
さらにまた、主搬送体の両側に位置して、副搬送体とサイド搬送体を対称に配置して成るものである。
【００１７】
【発明の実施の形態】
以下図面について、本願発明の実施の形熊を詳述する。
図１は、３系統の搬入コンベヤーＡ、Ｂ、Ｃから搬入される物品を、合流装置１０を介して単一の搬出コンベヤーＤに移送する場合の一部切欠した搬送過程の平面図を示しており、本願の合流装置１０は、搬入コンベヤーＡ、Ｂ、Ｃ乃至搬出コンベヤーＤと等しい幅をもって搬送方向に延びる長尺のベルトコンベヤーから成る主搬送体１と、物品を案内するシュー２を長手方向に摺動可能に設けた長尺なスラット３を搬送方向に多数並列することにより、搬送面４を形成し、この搬送面４を、搬送方向の前後位置で無端状に旋回させて成る左右１対のサイド搬送体５と、一端が前記サイド搬送部５の前端部に臨んで搬入コンベヤーから搬入される物品を前記サイド搬送部５に移送する短尺のベルトコンベヤーから成る副搬送体６とから構成され、本例では、３系統の搬入ベルトコンベヤーＡ、Ｂ、Ｃを備えていることから、幅方向の中央位置に、搬入コンベヤーＢと搬出コンベヤーＤと直線状に連通するように、主搬送体１を配置し、その両側位置に、サイド搬送体５、５をそれらが左右の副搬入コンベヤーＢとＣにそれぞれ対応するように、かつ、主搬送体１とサイド搬送体５、５の搬送面が同一平面を形成するように一体に配置した場合を示しており、好ましくは、主搬送体１の搬送面を若干低く形成する。
【００１８】
前記主搬送体１は、好ましくは、サイド搬送体５の前後端からそれぞれ前後方向に突出する長さを有し、かつ、ベルト１ａを、その前後位置で、回転ローラ１ｂに無端状に旋回した公知のベルトコンベヤーから成る。
【００１９】
また、サイド搬送体５は、具体的には、スラット３の両端をチェーンベルト５ａに接続すると共に、このチェーンベルト５ａを、前後に位置するチェーンホイール５ｂに巻回して成る。また、このサイド搬送体５には、シュー２の下部に設けたガイドローラ２ａと作用してスラット３の長さ方向における位置を規制する規制機構７が備えてある。
【００２０】
前記規制機構７は、具体的には、サイド搬送体５の前端部においては、副搬送体６の後端部が、シュー２と主搬送体１の側縁との間に、介在し得るように、シュー２を主搬送体１から最も離れた第１位置に規制し、サイド搬送体５の後端部においては、シュー２を主搬送体１の側縁に最も近接する第２位置に規制し、それらの中間においては、シュー２が第１位置から徐々に第２位置に移行するように、ガイドローラ２ａを誘導する。
【００２１】
図２は、主搬送体１とサイド搬送体５との接続関係を示す図であって、主搬送体１は、その機体１１の上面１２に、搬送方向の全長にわたって延びる角筒状のトラフ１２が幅方向に並列に配置してあり、さらにその左右側面には逆Ｌ字状のチェーンカバー専用の側縁トラフ１３が配置してあり、主搬送体１を構成するベルト１ａは、その往路において前記トラフ１２、１３の表面に接しながら走行する。
【００２２】
次いで、ベルト１ａは主搬送体１の後端部において、上下で対峙する回転ローラ１ａ、１ａより旋回されたのち、主搬送体１の前端部に戻され、さらに主搬送体１の前端部の上下で対峙する回転ローラ１ａ、１ａにより再び旋回される。
【００２３】
他方、サイド搬送体５は、その機体１５の上下位置の左右にチェーンベルト５ｂの走行を案内するフレーム１６が設けてあり、上位のフレーム１６の側面に、前記側縁トラフ１３の下片が止着してあり、また上位左右のフレーム１６間に渡架された横フレーム１７上には、断面Ｕ字状の規制機構７が設けてある。
【００２４】
さらに、副搬送体６も亦、ベルト６ａを、前後位置で回転するローラ６ｂに無端状に巻回して成る公知のベルトコンベヤーから成り、好ましくは、サイド搬送体５の前端部と対向する副搬送体６の後端部の厚さを可乃的薄く形成する。
【００２５】
しかして、搬入ベルトコンベヤーＡ、Ｂ、Ｃから、成る時間差をもって搬送される物品Ｐは、その搬入コンベヤーＡ、Ｂ、Ｃとそれぞれ一対一で対応する主搬送体１乃至副搬送体６のいづれか１つに順次移送される。
【００２６】
すなわち、搬入コンベヤーＡ、Ｃと、大きな半径をもって無端状に旋回するサイド搬送体５との間では、厚さの薄いベルトコンベヤーから成る副搬送体６によって連結されるので、図３で示すように、搬送物品Ｐが小物や薄物であっても、その物品Ｐの受け渡し作用が支障なく実行でき、物品Ｐの受け渡し作用の円滑性は、中央位置の搬入コンベヤーＢとベルトコンベヤーから成る主搬送体１との間でも同様である。
【００２７】
このようにして、搬入コンベヤーＡ、Ｃから副搬送体６を介してサイド搬送体５に移送された物品Ｐは、その搬送面４の走行過程において、シュー２により押圧されながら徐々に主搬送体１の方向に寄せられ、次いで、主搬送体１の後端部近くにおいて主搬送体１の面上に移送される。
【００２８】
この移送の場合も、搬送物品Ｐが、小物や薄物であっても、図４で示すように搬送面４から主搬送体１の表面に支障なく移送される。
【００２９】
また、搬入コンベヤーＢから主搬送体１に直接移送された物品は、搬出コンベヤーＤの方向に直進する。
【００３０】
このようにして、主搬送体１に順次移送された物品Ｐは、搬出コンベヤーＤに移送されるが、この場合も、図５で示すように、搬送する物品Ｐが、小物や薄物である場合でも支障なく移送することができる。
【００３１】
上記は、３系統の搬入コンベヤーＡ、Ｂ、Ｃから搬入される物品を単一搬出コンベヤーＤに移送する場合について述べたが、搬入コンベヤーがＡとＢ乃至ＢとＣの２系統から成るときは、一方の副搬送体６と一方のサイド搬送体Ｃ乃至Ａが省略される。
【００３２】
【発明の効果】
以上詳記したように、本願発明によれば、搬送物品が小物や薄物の場合でも、搬入コンベヤーからの物品の合流装置への移送、合流装置からの搬出コンベヤーに対する物品の移送および合流装置での搬送過程における物品の合流が円滑に行われ、しかもサイド搬送体におけるスラットが短尺であるので、高速運転においても騒音を低減することができるという利点を有する。
【００３３】
特に、請求項２記載の構成によれば、搬入コンベヤーおよび搬出コンベヤーと主搬送体との間における物品の受け渡しが円滑に行われる。
【００３４】
また、請求項３記載の構成によれば、サイド搬送体から主搬送体に対する物品の移送が円滑に行われるという利点を有する。
【図面の簡単な説明】
【図１】Ｍ部を切欠して示した総体平面図
【図２】主搬送体とサイド搬送体との接続関係を示す正面図
【図３】搬入コンベヤーと、副搬送体とサイド搬送体との相互関係を示す側面図
【図４】主搬送体とサイド搬送体との相互関係を示す正面図
【図５】主搬送体と搬出コンベヤーとの相互関係を示す側面図
【図６】従来のシュータイプの構成を示す平面図
【図７】従来のシュータイプの構成を示す正面図
【図８】従来のシュータイプの構成における物品の移送関係を示す図
【図９】従来のベルトタイプの構成を示す図
【図１０】従来のベルトタイプの構成を示す正面図
【図１１】従来のスライダータイプの構成を示す正面図
【図１２】従来のスライダータイプの構成における物品の移送関係を示す図
【符号の説明】
１　　主搬送体
２　　シュー
２ａ　ガイドローラ
３　　スラット
４　　搬送面
５　　サイド搬送体
６　　副搬送体
７　　規制機構
【図１】
2004026490.tif 000003
【図２】
2004026490.tif 000004
【図３】
2004026490.tif 000005
【図４】
2004026490.tif 000006
【図５】
2004026490.tif 000007
【図６】
2004026490.tif 000008
【図７】
2004026490.tif 000009
【図８】
2004026490.tif 000010
【図９】
2004026490.tif 000011
【図１０】
2004026490.tif 000012
【図１１】
2004026490.tif 000013
【図１２】
2004026490.tif 000014